(57)【要約】【課題】工事作業現場で電動工具のバッテリを使用して電気機器を動作させて、簡単に飲物を提供できるようにすることである。【解決手段】電動工具の電源に用いられるバッテリを取付け可能に構成されたバッテリ取付け部と、バッテリ取付け部に取付けられたバッテリの電力により湯を沸かすことができる発熱手段５４とを有する電気機器であって、予め決められた量の茶葉、あるいはコーヒー粉を通水性の袋状部材に収納したポッド商品がセットされるケース部２１と、ケース部２１に対して発熱手段５４により沸かされた湯を自動的に供給できるように構成された給湯部５０ｙとを有しており、ケース部２１には、セットされたポッド商品に注がれた湯により生成された飲料を下方に抜き出す抽出部２１ｐが設けられている。【選択図】図１３
2019017972.tif 000002
【特許請求の範囲】
【請求項１】
電動工具の電源に用いられるバッテリを取付け可能に構成されたバッテリ取付け部と、前記バッテリ取付け部に取付けられた前記バッテリの電力により湯を沸かすことができる発熱手段とを有する電気機器であって、
予め決められた量の茶葉、あるいはコーヒー粉を通水性の袋状部材に収納したポッド商品がセットされるケース部と、
前記ケース部に対して前記発熱手段により沸かされた湯を自動的に供給できるように構成された給湯部とを有しており、
前記ケース部には、セットされた前記ポッド商品に注がれた湯により生成された飲料を下方に抜き出す抽出部が設けられている電気機器。
【請求項２】
請求項１に記載された電気機器であって、
水を溜める貯水部と、前記貯水部から前記発熱手段の位置まで水を供給できるように構成された通路部とを有しており、
前記貯水部よりも低い位置に前記発熱手段が配置されている電気機器。
【請求項３】
請求項１又は請求項２に記載された電気機器であって、
前記バッテリ取付け部は、前記貯水部よりも低い位置に設けられている電気機器。
【請求項４】
請求項１から請求項３のいずれかに記載された電気機器であって、
前記貯水部を構成する容器が収納される空間と、前記発熱手段が収納される空間とが壁で仕切られている電気機器。
【請求項５】
請求項１から請求項４のいずれかに記載された電気機器であって、
前記ケース部に対して湯を供給する給湯部の給湯ノズル部が収納される空間と、前記発熱手段が収納される空間とが壁で仕切られている電気機器。
【請求項６】
請求項１に記載された電気機器であって、
複数のバッテリ取付け部を備えており、
いずれか一つのバッテリ取付け部に対して前記バッテリが取付けられた状態では、他のバッテリ取付け部に対して別の前記バッテリが取付け不能となるように構成されている電気機器。
【請求項７】
請求項６に記載された電気機器であって、
前記複数のバッテリ取付け部はサイズが異なっており、
それぞれのバッテリ取付け部には、対応するサイズのバッテリが取付けられるように構成されている電気機器。
【請求項８】
請求項７に記載された電気機器であって、
前記バッテリ取付け部には、一対のガイドレールと複数の端子とが設けられており、
前記複数のバッテリ取付け部は、前記ガイドレールの配置、及び／又は、前記複数の端子の配置が異なっており、
それぞれのバッテリ取付け部には、前記一対のガイドレールに嵌合してスライド可能、かつ前記端子と電気的に接続可能なバッテリが取付けられるように構成されている電気機器。
【請求項９】
請求項６から請求項８のいずれかに記載された電気機器であって、
前記複数のバッテリ取付け部には、一つのバッテリ取付け部を露出させて、他のバッテリ取付け部を覆うカバー部材が設けられている電気機器。
【請求項１０】
請求項９に記載された電気機器であって、
前記複数のバッテリ取付け部は並んで設けられており、
前記カバー部材は、前記複数のバッテリ取付け部の並び方向にスライド可能に構成されており、
前記カバー部材がスライドすることで、一つのバッテリ取付け部を露出させ、他のバッテリ取付け部を覆えるように構成されている電気機器。
【請求項１１】
請求項６から請求項１０のいずれかに記載された電気機器であって、
一つのバッテリ取付け部に対して前記バッテリが取付けられた状態で、別のバッテリを他のバッテリ取付け部に対する取付け方向に移動させると、前記別のバッテリが前記一つのバッテリ取付け部に取付けられたバッテリに当接して、その別のバッテリの移動が止められる構成である電気機器。
【請求項１２】
請求項６から請求項１１のいずれかに記載された電気機器であって、
ハウジングの一側面に前記複数のバッテリ取付け部が設けられており、
前記ハウジングの上面に前記貯水部の開口を塞ぐ蓋部が設けられており、
前記蓋部は、前記バッテリ取付け部が設けられている前記ハウジングの一側面の上側に位置するそのハウジングの上面の端縁の位置で塀状に起立して、前記貯水部の開口を開けるように構成されている電気機器。
【請求項１３】
請求項１２に記載された電気機器であって、
前記蓋部は、ヒンジ機構により前記ハウジングの上面の端縁に回動可能な状態で連結されている電気機器。
【請求項１４】
請求項９から請求項１３のいずれかに記載された電気機器であって、
前記カバー部材の動きに連動して動作するカバー動作スイッチを備えており、
前記カバー動作スイッチは、前記カバー部材に覆われている前記バッテリ取付け部の電源端子から前記発熱手段間の電源ラインを遮断し、露出している一つの前記バッテリ取付け部の電源端子から前記発熱手段間の電源ラインを導通させられるように構成されている電気機器。
【請求項１５】
請求項１４に記載された電気機器であって、
前記カバー動作スイッチは、前記カバー部材が前記バッテリ取付け部から外された場合、全ての前記バッテリ取付け部の電源端子から前記発熱手段間の電源ラインを遮断できるように構成されている電気機器。
【請求項１６】
請求項６に記載された電気機器であって、
ハウジングの一側面に前記複数のバッテリ取付け部が設けられており、
前記ハウジングの上面に貯水部の開口を塞ぐ蓋部が設けられており、
前記蓋部は、前記バッテリ取付け部が設けられている前記ハウジングの一側面の上側に位置するそのハウジングの上面の端縁の位置で塀状に起立して、前記貯水部の開口を開けるように構成されている電気機器。
【請求項１７】
請求項１に記載された電気機器であって、
水を溜める貯水部と、前記貯水部から前記発熱手段の位置まで水を供給できるように構成された通路部とを有しており、
前記バッテリ取付け部は、前記貯水部よりも高い位置に設けられている電気機器。
【請求項１８】
請求項１から請求項１７に記載された電気機器と、
前記電気機器のバッテリ取付け部に取付け可能なバッテリと、
を備える電気機器。
【発明の詳細な説明】
【技術分野】
【０００１】
本発明は、電動工具の電源に用いられるバッテリを取付け可能に構成されたバッテリ取付け部と、前記バッテリ取付け部に取付けられた前記バッテリの電力により湯を沸かすことができる発熱手段とを有する電気機器に関する。
【背景技術】
【０００２】
これに関連する電気機器が特許文献１に記載されている。特許文献１の電気機器は、図２６に示すように、コーヒーメーカー１００であり、バッテリ収納部１０２内に第１バッテリ取付け部１０３ａと第２バッテリ取付け部１０３ｂとが設けられている。そして、第１バッテリ取付け部１０３ａに対して電動工具の電源に用いられる18VバッテリＢ１が取付け可能に構成されており、第２バッテリ取付け部１０３ｂに対して同じく14.4VバッテリＢ２が取付け可能に構成されている。これにより、例えば、18VバッテリＢ１、あるいは14.4VバッテリＢ２を使用してコーヒーメーカー１００の発熱手段に電力を供給できるようになる。即ち、工事作業現場で電動工具のバッテリＢ１，Ｂ２を使用してコーヒーメーカー１００によりコーヒーを入れることが可能になる。
【先行技術文献】
【特許文献】
【０００３】
【特許文献１】特許第５６５７３３２号公報
【発明の概要】
【発明が解決しようとする課題】
【０００４】
上記したコーヒーメーカー１００では、フィルタケース１０５内にフィルタを収納し、フィルタ上に適量のコーヒー粉をセットした状態で湯を注入し、デカンタ１０６にコーヒーを滴下させる構成である。このため、作業現場でコーヒー粉の袋から計量スプーン等によりコーヒー粉を掬い上げてフィルタ上にセットする作業が必要になる。このため、作業現場にコーヒーメーカー１００と共に計量スプーン等の付属品を持ち込む必要があり、コーヒーを入れるのに手間が掛かる。
【０００５】
本発明は、上記問題点を解決するためになされたものであり、本発明が解決しようとする課題は、工事作業現場で電動工具のバッテリを使用して電気機器を動作させて、簡単に飲物を提供できるようにすることである。
【課題を解決するための手段】
【０００６】
上記した課題は、各発明によって解決される。第１の発明は、電動工具の電源に用いられるバッテリを取付け可能に構成されたバッテリ取付け部と、前記バッテリ取付け部に取付けられた前記バッテリの電力により湯を沸かすことができる発熱手段とを有する電気機器であって、予め決められた量の茶葉、あるいはコーヒー粉を通水性の袋状部材に収納したポッド商品がセットされるケース部と、前記ケース部に対して前記発熱手段により沸かされた湯を自動的に供給できるように構成された給湯部とを有しており、前記ケース部には、セットされた前記ポッド商品に注がれた湯により生成された飲料を下方に抜き出す抽出部が設けられている。
【０００７】
本発明によると、電動工具のバッテリを使用して工事作業現場等で電気機器を動作させることができる。電気機器は、予め決められた量の茶葉、あるいはコーヒー粉を通水性の袋状部材に収納したポッド商品がセットされるケース部を備えている。そして、ケース部には、セットされたポッド商品に注がれた湯により生成された飲料を下方に抜き出す抽出部が設けられている。このように、前記ポッド商品が使用できるため、例えば、コーヒー粉の袋から計量スプーン等によりコーヒー粉を取り出してフィルタ上にセットする作業が不要になる。即ち、前記ポッド商品をケース部にセットして電気機器を動作させれば飲料が得られるため、工事作業現場で簡単に飲物を提供できる。
【０００８】
第２の発明によると、水を溜める貯水部と、前記貯水部から前記発熱手段の位置まで水を供給できるように構成された通路部とを有しており、前記貯水部よりも低い位置に前記発熱手段が配置されている。このように、貯水部よりも低い位置に前記発熱手段が配置されているため、貯水部から発熱手段まで水を供給する際にポンプ等の送水手段が不要になる。
【０００９】
第３の発明によると、バッテリ取付け部は、貯水部よりも低い位置に設けられている。即ち、湯を沸かす際に重量の大きなバッテリが低い位置に配置されるため、電気機器の安定性が向上する。
【００１０】
第４の発明によると、貯水部を構成する容器が収納される空間と、前記発熱手段が収納される空間とが壁で仕切られている。このため、発熱手段等の電気部品が収納される空間に水が入り込むような不具合が生じない。
【００１１】
第５の発明によると、ケース部に対して湯を供給する給湯部の給湯ノズル部が収納される空間と、発熱手段が収納される空間とが壁で仕切られている。このため、発熱手段が収納される空間に湯が入り込むような不具合が生じない。
【００１２】
ここで、特許文献１に記載のコーヒーメーカー１００では、バッテリ収納部１０２の第１バッテリ取付け部１０３ａと第２バッテリ取付け部１０３ｂとに対し、18VバッテリＢ１と14.4VバッテリＢ２とを同時に取付けることが可能である。このため、前記コーヒーメーカー１００の電気回路には電圧切替回路が必要になる。また、18V用の電気回路の電圧が14.4V用の電気回路に加わらないようにするためのインターロック回路等が必要になる。このため、前記コーヒーメーカー１００の回路構成が複雑になる。また、経時的にインターロック回路等でトラブルが発生する可能性もある。第６の発明が解決しようとする課題は、電気的なインターロック等を不要にして回路構成を簡単にするとともに、電気的な信頼性を向上させることである。
【００１３】
第６の発明によると、複数のバッテリ取付け部を備えており、いずれか一つのバッテリ取付け部に対して前記バッテリが取付けられた状態では、他のバッテリ取付け部に対して別の前記バッテリが取付け不能となるように構成されている。このため、いずれか一つのバッテリ取付け部に対して、バッテリが取付けられた状態では、他のバッテリ取付け部に対して、前記バッテリが取付け不能となるように構成されている。したがって、複数のバッテリ取付け部が設けられていても、前記バッテリ取付け部には一つのバッテリしか取付けることができない。即ち、複数のバッテリが同時にバッテリ取付け部の取付けられることがない。このため、バッテリの切替回路、インターロック回路等が不要になり、回路構成が簡単になるとともに、電気的な信頼性が向上する。
【００１４】
第７の発明によると、複数のバッテリ取付け部はサイズが異なっており、それぞれのバッテリ取付け部には、対応するサイズのバッテリが取付けられるように構成されている。
【００１５】
第８の発明によると、バッテリ取付け部には、一対のガイドレールと複数の端子とが設けられており、前記複数のバッテリ取付け部は、前記ガイドレールの配置、及び／又は、前記複数の端子の配置が異なっており、それぞれのバッテリ取付け部には、前記一対のガイドレールに嵌合してスライド可能、かつ前記端子と電気的に接続可能なバッテリが取付けられるように構成されている。
【００１６】
第９の発明によると、複数のバッテリ取付け部には、一つのバッテリ取付け部を露出させて、他のバッテリ取付け部を覆うカバー部材が設けられている。このため、露出している一つのバッテリ取付け部にバッテリを取付けた状態で、他のバッテリ取付け部はカバー部材に覆われた状態になる。即ち、一つのバッテリ取付け部にバッテリが取付けられた状態で、他のバッテリ取付け部の充電部が露出しないため、短絡事故を防止できる。
【００１７】
第１０の発明によると、複数のバッテリ取付け部は並んで設けられており、前記カバー部材は、前記複数のバッテリ取付け部の並び方向にスライド可能に構成されており、前記カバー部材がスライドすることで、一つのバッテリ取付け部を露出させ、他のバッテリ取付け部を覆えるように構成されている。このため、カバー部材の操作が容易になる。
【００１８】
第１１の発明によると、一つのバッテリ取付け部に対して前記バッテリが取付けられた状態で、別のバッテリを他のバッテリ取付け部に対する取付け方向に移動させると、前記別のバッテリが前記一つのバッテリ取付け部に取付けられたバッテリに当接して、その別のバッテリの移動が止められる構成である。このため、仮にカバー部材が外れた場合でも、複数のバッテリ取付け部に対して複数のバッテリが取付けられるような不具合が生じない。
【００１９】
第１２の発明によると、ハウジングの一側面に前記複数のバッテリ取付け部が設けられており、前記ハウジングの上面に貯水部の開口を塞ぐ蓋部が設けられており、前記蓋部は、前記バッテリ取付け部が設けられている前記ハウジングの一側面の上側に位置するそのハウジングの上面の端縁の位置で塀状に起立して、前記貯水部の開口を開けるように構成されている。このため、ハウジングの貯水部に水を供給する際に、水の飛沫が塀状に起立している蓋部に遮られて前記バッテリ取付け部に掛かり難くなる。
【００２０】
第１３の発明によると、蓋部は、ヒンジ機構によりハウジングの上面の端縁に回動可能な状態で連結されている。
【００２１】
第１４の発明によると、カバー部材の動きに連動して動作するカバー動作スイッチを備えており、前記カバー動作スイッチは、前記カバー部材に覆われている前記バッテリ取付け部の電源端子から前記発熱手段間の電源ラインを遮断し、露出している一つの前記バッテリ取付け部の電源端子から前記発熱手段間の電源ラインを導通させられるように構成されている。このため、例えば、露出している一つのバッテリ取付け部にバッテリが取付けられた状態で、カバー部材に覆われているバッテリ取付け部の充電部に電圧が加わるようなことがなくなる。
【００２２】
第１５の発明によると、カバー動作スイッチは、カバー部材が前記バッテリ取付け部から外された場合、全ての前記バッテリ取付け部の電源端子から前記発熱手段間の電源ラインを遮断できるように構成されている。このため、カバー部材が外れている状態で電気機器が使用されるような不具合が発生しない。
【００２３】
第１６の発明によると、ハウジングの一側面に複数のバッテリ取付け部が設けられており、前記ハウジングの上面に貯水部の開口を塞ぐ蓋部が設けられており、前記蓋部は、前記バッテリ取付け部が設けられている前記ハウジングの一側面の上側に位置するそのハウジングの上面の端縁の位置で塀状に起立して、前記貯水部の開口を開けるように構成されている。
【００２４】
第１７の発明によると、水を溜める貯水部と、前記貯水部から発熱手段の位置まで水を供給できるように構成された通路部とを有しており、バッテリ取付け部は、前記貯水部よりも高い位置に設けられている。このため、貯水部に給水する際にバッテリに水が掛かり難くなる。
【００２５】
第１８の発明は、請求項１から請求項１７に記載された電気機器と、前記電気機器のバッテリ取付け部に取付け可能なバッテリとを備えている。
【発明の効果】
【００２６】
本発明によると、工事作業現場で電動工具のバッテリを使用して電気機器を動作させて、簡単に飲物を提供できる。
【図面の簡単な説明】
【００２７】
【図１】本発明の実施形態１に係る電気機器であるコーヒーメーカーを右前方から見た斜視図（バッテリＢ１取付け図）である。
【図２】前記コーヒーメーカーの正面図（図１のII矢視図）である。
【図３】前記コーヒーメーカーを右前方から見た斜視図（バッテリＢ１取外し図）である。
【図４】前記コーヒーデカンタの支持構造（変更例）を表す正面図である。
【図５】前記コーヒーメーカーのドリップケース（カフェポッド用）の斜視図である。
【図６】前記ドリップケース（カフェポッド用）の縦断面図である。
【図７】前記ドリップケース（フィルタ用）の斜視図である。
【図８】前記ドリップケース（フィルタ用）の斜視図である。
【図９】前記コーヒーメーカーを右前方から見た斜視図（バッテリＢ２取付け図）である。
【図１０】前記コーヒーメーカーを右前方から見た斜視図（バッテリＢ２取外し図）である。
【図１１】前記コーヒーメーカーの湯沸かし部の模式図である。
【図１２】前記湯沸かし部の平断面図（図１１のXII-XII矢視断面図）である。
【図１３】前記コーヒーメーカーの湯沸かし部等を表す縦断面図（１）である。
【図１４】図１３のXIV-XIV矢視縦面図である。
【図１５】前記コーヒーメーカーの湯沸かし部等を表す縦断面図（２）である。
【図１６】前記コーヒーメーカーの電気回路図（バッテリＢ１取付け時）である。
【図１７】前記コーヒーメーカーの電気回路図（バッテリＢ２取付け時）である。
【図１８】変更例１に係る前記コーヒーメーカーの電気回路図である。
【図１９】変更例２に係る前記コーヒーメーカーの電気回路図である。
【図２０】変更例３に係るコーヒーメーカーの模式側面図である。
【図２１】変更例４に係るコーヒーメーカーの模式側面図である。
【図２２】変更例６に係るコーヒーメーカーのドリップケースの斜視図である。
【図２３】前記ドリップケースの縦断面図である。
【図２４】前記ドリップケースの斜視図である。
【図２５】前記ドリップケースの縦断面図である。
【図２６】従来のコーヒーメーカーの全体斜視図である。
【発明を実施するための形態】
【００２８】
〔実施形態１〕
以下、図１〜図２５に基づいて本発明の実施形態１に係る電気機器について説明する。本実施形態に係る電気機器は、図１等に示すように、電動工具のバッテリを電源として使用するコーヒーメーカー１０である。ここで、図中に示す前後左右、及び上下は、コーヒーメーカー１０の前後左右、及び上下に対応している。
【００２９】
＜コーヒーメーカー１０の構成概要について＞
コーヒーメーカー１０は、図１等に示すように、コーヒーをドリップするコーヒーメーカー本体部２０と、ドリップしたコーヒーを溜めるデカンタ３５と、そのデカンタ３５を載せるプレート部３０と、バッテリＢ１，Ｂ２が取付けられるバッテリ取付け部４０とから構成されている。コーヒーメーカー本体部２０は、前後に長い略箱形のハウジング２２を備えており、そのハウジング２２の上部と下部とが中央部に対して前方に張り出した状態で形成されている。そして、ハウジング２２の上部における前方張出部の位置にドリップケース２１を収納するドリップケース収納部２２ｆが設けられている。ドリップケース収納部２２ｆの下側には、デカンタ３５の収納空間が設けられている。さらに、デカンタ３５の収納空間の下側には、ハウジング２２の下部の前方張出部であるプレート部３０が設けられている。
【００３０】
ここで、デカンタ３５は、図１に示すように、プレート部３０の上面に形成された中央凹部３２に底部が嵌め込まれた状態でプレート部３０上に載置される。しかし、図４に示すように、プレート部３０の左右両側に前後方向に延びる押さえレール３３を設け、それらの押さえレール３３によりデカンタ３５の底部に形成されたフランジ部３５ｆを左右方向、及び上下方向から拘束することも可能である。これにより、デカンタ３５のフランジ部３５ｆをプレート部３０の上面３０ｕと左右の押さえレール３３とで拘束した状態で、デカンタ３５を前から後にスライドさせてプレート部３０に載置することができる。この結果、コーヒーメーカー１０の運搬中にデカンタ３５がプレート部３０上から落下し難くなる。
【００３１】
ドリップケース２１は、ハウジング２２のドリップケース収納部２２ｆに対して前方から挿入できるように構成されている。ドリップケース２１は、図５、図６に示すように、ケース本体部２１ｍと、ケース本体部２１ｍの前面上部から前方に張り出す把持部２１ｈと、ケース本体部２１ｍを下方から支える側面略Ｌ字形のホルダ部２１ｄとから構成されている。そして、ケース本体部２１ｍの底部の中央には、生成されたコーヒーを下方に抜き出す抽出部２１ｐが設けられている。ケース本体部２１ｍには、図５、図６に示すように、適量のコーヒー粉を予め袋状のフィルタに充填したカフェポッドＣＰをセットできるように構成されている。即ち、カフェポッドＣＰが本発明のポッド商品に相当し、ケース本体部２１ｍが本発明のケース部に相当する。ここで、前記フィルタは、一般的に不織布、あるいは紙等により形成されているが、それ以外の材料で形成することも可能である。
【００３２】
なお、カフェポッドＣＰ用のトリップケース２１を使用する代わりに、図７、図８に示すように、メッシュフィルターＦを備えるトリップケース２１を使用することも可能である。メッシュフィルターＦを備えるトリップケース２１は、メッシュフィルターＦに適量のコーヒー粉をセットする構成のため、蓋部２１ｆを備えている。そして、前記蓋部２１ｆには、湯が通過できる多数の穴２１ｚが形成されている。
【００３３】
ハウジング２２の上部には、図１、及び図１３に示すように、ドリップケース収納部２２ｆの後側の位置に水を溜める貯水部２２ｗがドリップケース２１とほぼ同じ高さ位置に設けられている。貯水部２２ｗは、ハウジング２２の上面に開口を備えており、その開口が長方形状の蓋部２３により開閉できるように構成されている。ハウジング２２の上面は長方形状に形成されており、その上面の縁部の内側に同じく長方形状の蓋収納凹部２２ｙ（図１参照）が形成されている。そして、蓋部２３が、図３に示すように、貯水部２２ｗの開口を閉じた状態で、その蓋部２３が蓋収納凹部２２ｙに収納されて、蓋部２３の表面がハウジング２２の上面と面一になる。蓋部２３の右辺部は、図１に示すように、ハウジング２２の蓋収納凹部２２ｙの右辺部とヒンジ機構２４により連結されている。これにより、蓋部２３をヒンジ機構２４の回りに上方に回動（図２において左回動）させることで貯水部２２ｗの開口が開かれる。そして、蓋部２３が左回動限位置まで回動した状態で、図２に示すように、蓋部２３は右方向に若干傾斜して塀状に起立した状態に保持される。
【００３４】
ハウジング２２は、図１等に示すように、門型取手２５を備えており、その門型取手２５の左右の脚部がハウジング２２の上部の前後方向中央部に上下回動可能な状態で連結されている。即ち、門型取手２５を起立させることで、その門型取手２５を持ってコーヒーメーカー１０を運搬することができる。また、門型取手２５を水平な位置まで後方に倒伏させることで、図１等に示すように、門型取手２５をハウジング２２の蓋収納凹部２２ｙの周囲に格納できるようになる。さらに、ハウジング２２の右側面には、複数種類（図では二種類）の電動工具用バッテリを取付けられるように構成されたバッテリ取付け部４０（後記する）が縦向きに設けられている。また、ハウジング２２内には、貯水部２２ｗから供給された水を沸騰させてドリップケース２１の位置まで導く湯沸かし部５０（後記する）と、湯沸かし部５０のヒーター５４等にバッテリ取付け部４０のバッテリＢ１，Ｂ２の電力を供給する電気回路６０（後記する）等とが収納されている。
【００３５】
＜バッテリ取付け部４０について＞
バッテリ取付け部４０は、前後方向に並んで設けられた第１バッテリ取付け部４１と、第２バッテリ取付け部４２と、第１バッテリ取付け部４１、あるいは第２バッテリ取付け部４２のいずれか一方を覆う前後スライド式のカバー部材４５とから構成されている。第１バッテリ取付け部４１は、図１に示すように、電動工具で使用される18V用のバッテリ、あるいは14.4V用のバッテリ（以下、第１バッテリＢ１という）が取付けられる部分である。
【００３６】
第１バッテリ取付け部４１は、図３に示すように、上下方向に延びる前後一対のガイドレール４１ｒを備えており、一対のガイドレール４１ｒ間にプラス端子４１ｐとマイナス端子４１ｎとが設けられている。また、第１バッテリＢ１には、第１バッテリ取付け部４１の一対のガイドレール４１ｒと係合可能な一対のレール受け部（図示省略）が設けられており、一対のレール受け部間にプラスターミナルｐとマイナスターミナルｎとが設けられている。これにより、第１バッテリＢ１の一対のレール受け部を第１バッテリ取付け部４１の一対のガイドレール４１ｒに対して上方から嵌合させて下方にスライドさせることで、第１バッテリＢ１を第１バッテリ取付け部４１に取付けることができる。そして、第１バッテリＢ１が第１バッテリ取付け部４１に取付けられた状態で、図１６に示すように、第１バッテリＢ１のプラスターミナルｐとマイナスターミナルｎとが第１バッテリ取付け部４１のプラス端子４１ｐとマイナス端子４１ｎとに接続される。この状態で、第１バッテリＢ１の電力が電気回路６０により湯沸かし部５０のヒーター５４等に供給可能となる。
【００３７】
第２バッテリ取付け部４２は、図９に示すように、電動工具で使用される10.8V用のバッテリ（以下、第２バッテリＢ２という）が取付けられる部分である。第２バッテリ取付け部４２は、図１０に示すように、上下方向に延びる前後一対のガイドレール４２ｒを備えており、一対のガイドレール４２ｒ間にプラス端子４２ｐとマイナス端子４２ｎとが設けられている。また、第２バッテリＢ２には、第２バッテリ取付け部４２の一対のガイドレール４２ｒと係合可能な一対のレール受け部（図示省略）が設けられており、一対のレール受け部間にプラスターミナルｐとマイナスターミナルｎとが設けられている。これにより、第２バッテリＢ２の一対のレール受け部を第２バッテリ取付け部４２の一対のガイドレール４２ｒに対して上方から嵌合させて下方にスライドさせることで、第２バッテリＢ２を第２バッテリ取付け部４２に取付けることができる。
【００３８】
そして、第２バッテリＢ２が第２バッテリ取付け部４２に取付けられた状態で、図１７に示すように、第２バッテリＢ２のプラスターミナルｐとマイナスターミナルｎとが第２バッテリ取付け部４２のプラス端子４２ｐとマイナス端子４２ｎとに接続される。この状態で、第２バッテリＢ２の電力が電気回路６０により湯沸かし部５０のヒーター５４等に供給可能となる。ここで、第２バッテリ取付け部４２の一対のガイドレール４２ｒの間隔は、第１バッテリ取付け部４１の一対のガイドレール４１ｒの間隙よりも小さくなるように設定されている。このため、第２バッテリ取付け部４２に対して第１バッテリＢ１が取り付くことはなく、また、第１バッテリ取付け部４１に対して第２バッテリＢ２が取り付くことはない。
【００３９】
さらに、第１バッテリ取付け部４１と第２バッテリ取付け部４２とには、同時に第１バッテリＢ１と第２バッテリＢ２とが取り付かないように構成されている。即ち、第１バッテリ取付け部４１の後側のガイドレール４１ｒと第２バッテリ取付け部４２の前側のガイドレール４２ｒとの間隔は、第１バッテリＢ１と第２バッテリＢ２とが互いに干渉するような寸法に設定されている。このため、例えば、第１バッテリ取付け部４１に対して第１バッテリＢ１が取付けられている状態で、第２バッテリ取付け部４２に対して第２バッテリＢ２を下方にスライドさせると、第２バッテリＢ２が第１バッテリＢ１に当接して下方のスライドが禁止される。また、第２バッテリ取付け部４２に第２バッテリＢ２が取付けられている状態で、第１バッテリ取付け部４１に対して第１バッテリＢ１を下方にスライドさせても、同様に下方のスライドが禁止される。
【００４０】
カバー部材４５は、第１バッテリ取付け部４１、あるいは第２バッテリ取付け部４２を覆えるように構成された板状部材であり、前後方向にスライド可能な状態でバッテリ取付け部４０に設けられている。即ち、バッテリ取付け部４０の上下には、前後方向に延びるガイド溝４０ｇが形成されており、それらのガイド溝４０ｇに対してカバー部材４５の裏側上下に形成された摺動子（図示省略）が摺動可能な状態で連結されている。また、カバー部材４５の表面の前側と後側には指を掛ける凹み状の取手４５ｅ（図１参照）が形成されている。そして、図３に示すように、カバー部材４５を後端位置までスライドさせることで、第２バッテリ取付け部４２が覆われ、第１バッテリ取付け部４１が露出して、第１バッテリ取付け部４１に第１バッテリＢ１を取付け可能となる。また、図１０に示すように、カバー部材４５を前端位置までスライドさせることで、第１バッテリ取付け部４１が覆われ、第２バッテリ取付け部４２が露出して、第２バッテリ取付け部４２に第２バッテリＢ２を取付け可能となる。バッテリ取付け部４０には、カバー部材４５の前後スライド動作に連動して動作するカバー動作スイッチ６４（図１６、図１７参照）が設けられている。
【００４１】
＜コーヒーメーカー本体部２０の湯沸かし部５０について＞
湯沸かし部５０は、ハウジング２２の貯水部２２ｗから供給された水を沸騰させてドリップケース２１内に供給する部分である。湯沸かし部５０は、図１１に示すように、給湯部５０ｙとヒーター５４とから構成される。給湯部５０ｙは、貯水部２２ｗに接続されるパイプ部５２と、パイプ部５２内の水が貯水部２２ｗ側に逆流するのを防止する逆止弁５３と、パイプ部５２の先端部５２ｕに接続された給湯ノズル部５７とを備えている。そして、図１１、図１２に示すように、給湯部５０ｙのパイプ部５２における略Ｕ字形の湾曲部分に一対のヒーター５４がパイプ部５２に沿わせられた状態で取付けられている。
【００４２】
ここで、ハウジング２２の貯水部２２ｗは、図１３、図１５に示すように、上部開放型の容器２２０により構成されており、その容器２２０の底板部の位置に下方に突出する弁収納部２２１が設けられている。そして、貯水部２２ｗの容器２２０の弁収納部２２１内に給湯部５０ｙの逆止弁５３が収納されている。また、弁収納部２２１には、給湯部５０ｙのパイプ部５２の基端部５２ｍが接続されている。
【００４３】
ハウジング２２内は、図１３に示すように、貯水部２２ｗの容器２２０が収納される貯水部空間Ｗと湯沸かし部５０が収納される湯沸かし空間Ｙとが上下仕切り壁２１０により仕切られている。そして、貯水部２２ｗの容器２２０の弁収納部２２１が上下仕切り壁２１０を貫通して、湯沸かし空間Ｙ内に突出している。湯沸かし空間Ｙの内部には、図１５に示すように、給湯部５０ｙのパイプ部５２がＵ字形に湾曲した状態で設置されている。そして、上記したように、パイプ部５２のＵ字形の湾曲部分に一対のヒーター５４が沿わされることで、Ｕ字形の湾曲部分に収納された水がヒーター５４により沸騰させられるようになる。パイプ部５２のＵ字形の湾曲部分の先端側は、上方に延びてハウジング２２のドリップケース収納部２２ｆに導かれている。
【００４４】
ハウジング２２のドリップケース収納部２２ｆには、図１３に示すように、ドリップケース２１に対して上方から湯を注ぐ給湯部５０ｙの給湯ノズル部５７が設置されている。そして、図１４に示すように、給湯部５０ｙのパイプ部５２の先端部５２ｕが給湯ノズル部５７の立管５７ｐの上端部に接続されている。ここで、給湯部５０ｙの給湯ノズル部５７が収納されているドリップケース収納部２２ｆのノズル収納空間Ｎは、図１３等に示すように、貯水部空間Ｗ、及び湯沸かし空間Ｙと縦壁２１２により仕切られている。これにより、ヒーター５４が収納される湯沸かし空間Ｙ内に水、あるいは湯が入り込むようなことがなくなる。
【００４５】
上記構成により、パイプ部５２の略Ｕ字形の湾曲した部分に水が満たされた状態でヒーター５４によりパイプ部５２が加熱されると、パイプ部５２内の水の一部が蒸発してパイプ部５２内の圧力が上昇する。このとき、給湯部５０ｙの逆止弁５３が閉じられて貯水部２２ｗ側への水の逆流が防止されるため、高温の湯が給湯部５０ｙのパイプ部５２を介してノズル収納空間Ｎ内の給湯ノズル部５７から押し出される。これにより、ドリップケース２１内のカフェポッドＣＰに給湯ノズル部５７から湯が上方から注がれる。そして、給湯ノズル部５７から湯が押し出されることで、パイプ部５２内の圧力が低下すると、貯水部２２ｗの水が逆止弁５３を介してパイプ部５２内に供給される。この動作が繰り返されることで、高温の湯が自動的にドリップケース２１内に供給されるようになる。即ち、前記ヒーター５４が本発明の発熱手段に相当する。
【００４６】
＜コーヒーメーカー本体部２０の電気回路６０について＞
電気回路６０は、第１バッテリ取付け部４１に取付けられた第１バッテリＢ１、あるいは第２バッテリ取付け部４２に取付けられた第２バッテリＢ２の電力を湯沸かし部５０のヒーター５４に供給する回路である。
【００４７】
電気回路６０は、図１６、図１７に示すように、第１バッテリ取付け部４１のプラス端子４１ｐと湯沸かし部５０のヒーター５４（＋側）とをつなぐ第１電源プラスライン６１と、第２バッテリ取付け部４２のプラス端子４２ｐと前記ヒーター５４（＋側）とをつなぐ第２電源プラスライン６２とを備えている。また、電気回路６０は、第１、第２バッテリ取付け部４１、４２のマイナス端子４１ｎ、４２ｎとヒーター５４（−側）とをつなぐ電源マイナスライン６３を備えている。即ち、第１電源プラスライン６１と第２電源プラスライン６２とが本発明の電源ラインに相当し、第１バッテリ取付け部４１のプラス端子４１ｐと第２バッテリ取付け部４２のプラス端子４２ｐとが本発明のバッテリ取付け部の電源端子に相当する。
【００４８】
そして、第１電源プラスライン６１と第２電源プラスライン６２とにそれぞれ短絡防止用ヒューズＨｓが設けられている。短絡防止用ヒューズＨｓは、図１６に示すように、第１バッテリ取付け部４１の第１バッテリＢ１が取付けられた状態で、例えば、第２バッテリ取付け部４２のプラス端子４２ｐとマイナス端子４２ｎとが誤って短絡された場合に短絡電流を遮断するためのものである。
【００４９】
電気回路６０の第１電源プラスライン６１と第２電源プラスライン６２とには、カバー部材４５の前後スライド動作に連動して動作するカバー動作スイッチ６４が設けられている。即ち、カバー動作スイッチ６４は、図１６に示すように、カバー部材４５が第２バッテリ取付け部４２を覆っている場合、第２バッテリ取付け部４２からヒーター５４間の第２電源プラスライン６２を遮断し、第１バッテリ取付け部４１からヒーター５４間の第１電源プラスライン６１を導通させる。また、カバー動作スイッチ６４は、図１７に示すように、カバー部材４５が第１バッテリ取付け部４１を覆っている場合、第１バッテリ取付け部４１からヒーター５４間の第１電源プラスライン６１を遮断し、第２バッテリ取付け部４２からヒーター５４間の第２電源プラスライン６２を導通させる。なお、カバー動作スイッチ６４は、カバー部材４５がバッテリ取付け部４０から取り外された場合には、第１電源プラスライン６１と第２電源プラスライン６２とを遮断できるように構成されている。
【００５０】
電気回路６０の電源マイナスライン６３には、図１６、図１７に示すように、ヒーター５４に供給する電力をＰＷＭ制御するためのスイッチング素子（ＦＥＴ）６５が設けられている。また、ヒーター５４には、ヒーター５４の温度が上昇し過ぎた場合に溶断するヒーターヒューズＨｔが設けられている。さらに、湯沸かし部５０のパイプ部５２には、パイプ部５２の温度を検出する温度センサー６６（例えば、サーミスタ）が設けられている。
【００５１】
電気回路６０は、前記スイッチング素子（ＦＥＴ）６５を動作させて湯沸かし部５０のヒーター５４を制御するコントローラ７０を備えている。コントローラ７０には、湯沸かし部５０のヒーター５４をオン・オフさせるための起動／停止スイッチ７２の信号が入力される。ここで、起動／停止スイッチ７２は、図１等に示すように、プレート部３０の前面に取付けられている。なお、ヒーター５４が動作中は通電ランプが点灯するようになる。また、コントローラ７０には、温度センサー６６の信号が入力される。さらに、コントローラ７０には、バッテリ識別回路７４からのバッテリ識別信号が入力される。バッテリ識別回路７４は、第１バッテリ取付け部４１に取付けられたバッテリＢ１、あるいは第２バッテリ取付け部４２に取付けられたバッテリＢ２から送信されるデータに基づきバッテリの種類を識別する。また、第１バッテリ取付け部４１、あるいは第２バッテリ取付け部４２のいずれにバッテリが取付けられているかを把握することで、バッテリの種類を識別しても良い。
【００５２】
また、コントローラ７０には、制御電源部７５から複数種類の定電圧が供給される。即ち、制御電源部７５は、バッテリＢ１（14.4V、又は18V）、あるいはバッテリＢ２（10.8V）から供給された電圧を降圧、あるいは昇圧してコントローラ７０に対して複数種類の定電圧を供給できるように構成されている。
【００５３】
＜コーヒーメーカー１０の動作について＞
コーヒーメーカー１０を使用する場合には、所有する電動工具用バッテリが、例えば、第１バッテリＢ１（18V）のときは、図１に示すように、カバー部材４５を後端位置までスライドさせて第２バッテリ取付け部４２を覆い、露出している第１バッテリ取付け部４１に第１バッテリＢ１を取付ける。このとき、カバー部材４５のスライド動作に伴ってカバー動作スイッチ６４が動作し、図１６に示すように、第２電源プラスライン６２が遮断されて、第１電源プラスライン６１が導通状態となる。次に、ハウジング２２の上面の蓋部２３を上方に回動させて、図２に示すように、貯水部２２ｗの開口を開き、蓋部２３を起立させた状態に保持する。そして、この状態で、貯水部２２ｗに水を注入する。このとき、水の飛沫が飛んでも蓋部２３に遮られて、第１バッテリＢ１の方向に飛沫が飛び散り難くなる。このようにして、水の注入が完了し、ドリップケース２１にコーヒー粉をセットし、プレート部３０上にデカンタ３５をセットした状態で、起動／停止スイッチ７２を操作する。
【００５４】
起動／停止スイッチ７２が操作されると、コントローラ７０がバッテリの種類（電圧）に応じてスイッチング素子（ＦＥＴ）６５を動作させ、ヒーター５４に供給する電力を調整する。例えば、第１バッテリＢ１（18V）の場合には、第２バッテリＢ２（10.8V）と比較してＰＷＭ制御における通電時間は短くなる。そして、ヒーター５４により湯沸かし部５０のパイプ部５２が加熱されて、パイプ部５２内の高温の湯がドリップケース２１のカフェポッドＣＰに供給される。そして、ドリップケース２１（ケース本体部２１ｍ）の抽出部２１ｐにより下方に抜き出されたコーヒーがプレート部３０上のデカンタ３５に溜められる。このようにして、湯沸かし部５０のパイプ部５２内の水が減少して、パイプ部５２の温度が上昇すると、温度センサー６６の信号を受けてコントローラ７０がスイッチング素子（ＦＥＴ）６５をオフしてヒーター５４の通電を停止する。
【００５５】
第２バッテリＢ２（10.8V）を使用する場合には、図９、図１０に示すように、カバー部材４５を前端位置までスライドさせて第１バッテリ取付け部４１を覆い、露出している第２バッテリ取付け部４２に第２バッテリＢ２を取付ける。そして、カバー部材４５が前端位置までスライドすることで、カバー動作スイッチ６４が、図１７に示すように、第１電源プラスライン６１を遮断し、第２電源プラスライン６２を導通させる。そして、上記した手順で、コーヒーメーカー１０を操作することでコーヒーが抽出される。
【００５６】
＜本実施形態に係るコーヒーメーカー１０の長所について＞
本実施形態に係るコーヒーメーカー１０によると、電動工具のバッテリＢ１，Ｂ２を使用して工事作業現場等でコーヒーメーカー１０（電気機器）を動作させることができる。コーヒーメーカー１０、予め決められた量のコーヒー粉を通水性の袋状部材に収納したカフェポッドＣＰ（ポッド商品）がセットされるドリップケース２１（ケース部）を備えている。そして、ドリップケース２１には、セットされたカフェポッドＣＰに注がれた湯により生成されたコーヒーを下方に抜き出す抽出部２１ｐが設けられている。このように、カフェポッドＣＰが使用できるため、例えば、コーヒー粉の袋から計量スプーン等によりコーヒー粉を取り出してフィルタ上にセットする作業が不要になる。即ち、カフェポッドＣＰをドリップケース２１にセットしてコーヒーメーカー１０を動作させればコーヒーが得られるため、工事作業現場で簡単にコーヒーを提供できる。
【００５７】
また、コーヒーメーカー１０の貯水部２２ｗとドリップケース２１（ケース部）とがほぼ同じ高さで並んで配置されているため、給湯部５０ｙがヒーター５４（発熱手段）により沸騰させられた湯をドリップケース２１に対して上方から供給する際にポンプ等の送水手段が不要になる。また、バッテリ取付け部４１，４２は、貯水部２２ｗ、及びドリップケース２１よりも低い位置に設けられている。このため、湯を沸かす際に重量の大きなバッテリＢ１，Ｂ２が低い位置に配置されるようになり、コーヒーメーカー１０の安定性が向上する。さらに、貯水部空間Ｗと、ヒーター５４が収納される湯沸かし空間Ｙとが上下仕切り壁２１０で仕切られているため、ヒーター５４が収納される空間Ｙに水が入り込むような不具合が生じない。また、給湯部の給湯ノズル部５７が収納されるノズル収納空間Ｎと、ヒーター５４が収納される湯沸かし空間Ｙとが縦壁２１２で仕切られているため、湯沸かし空間Ｙに湯が入り込むような不具合が生じない。
【００５８】
本実施形態に係るコーヒーメーカー１０によると、いずれか一つのバッテリ取付け部４１，４２に対して、対応するバッテリＢ１，Ｂ２が取付けられた状態では、他のバッテリ取付け部４１，４２に対して、対応するバッテリＢ１，Ｂ２が取付け不能となる。このため、二種類のバッテリ取付け部４１，４２が設けられていても、前記バッテリ取付け部４１，４２には一つのバッテリＢ１，Ｂ２しか取付けることができない。即ち、二つのバッテリが同時にバッテリ取付け部４１，４２に取付けられることがない。このため、バッテリの切替回路、インターロック回路等が不要になり、回路構成が簡単になるとともに、電気的な信頼性が向上する。
【００５９】
また、露出している一つのバッテリ取付け部４１，４２にバッテリＢ１，Ｂ２を取付けた状態で、他のバッテリ取付け部４１，４２はカバー部材４５に覆われた状態になる。即ち、一つのバッテリ取付け部４１，４２にバッテリＢ１，Ｂ２が取付けられた状態で、他のバッテリ取付け部４１，４２の充電部が露出しないため、短絡事故を防止できる。また、一つのバッテリ取付け部４１，４２に対してバッテリＢ１，Ｂ２が取付けられた状態で、別のバッテリＢ１，Ｂ２を他のバッテリ取付け部４１，４２に対する取付け方向（下方向）に移動させると、前記別のバッテリＢ１，Ｂ２が一つのバッテリ取付け部４１，４２に取付けられたバッテリＢ１，Ｂ２に当接して、その別のバッテリＢ１，Ｂ２の移動が止められる構成である。このため、仮にカバー部材４５が外れた場合でも、複数のバッテリ取付け部４１，４２に対して複数のバッテリＢ１，Ｂ２が取付けられるような不具合が生じない。
【００６０】
また、貯水部２２ｗの蓋部２３は、バッテリ取付け部４１，４２が設けられているハウジング２２の右側面の上側に位置するそのハウジングの上面の端縁の位置で塀状に起立して、貯水部２２ｗの開口を開けるように構成されている。このため、ハウジング２２の貯水部２２ｗに水を供給する際に、水の飛沫がハウジング２２の右側面に沿って起立している蓋部２３に遮られてバッテリ取付け部４１，４２に掛かり難くなる。
【００６１】
＜変更例＞
なお、本発明は上記実施形態に限定されるものではなく、本発明の要旨を逸脱しない範囲における変更が可能である。例えば、本実施形態のコーヒーメーカー１０では、図１、及び図１３に示すように、貯水部２２ｗとドリップケース２１（ケース部）とをほぼ同じ高さで並んで配置し、それよりも低い位置にバッテリ取付け部４１，４２を設ける例を示した。しかし、図２０に示すように、バッテリ取付け部４１，４２を貯水部２２ｗ、ドリップケース２１（ケース部）よりも高い位置に設けることも可能である。また、図２１に示すように、貯水部２２ｗを湯沸かし部５０のヒーター５４よりも低い位置に設け、その貯水部２２ｗよりも高い位置にバッテリ取付け部４１，４２を設けるようにすることも可能である。この場合、水の汲み上げにポンプ５９等を使用する。このように、バッテリ取付け部４１，４２を貯水部２２ｗよりも高い位置に配置することで、貯水部２２ｗに水を供給する際に、バッテリ取付け部４１，４２に水が掛かり難くなる。
【００６２】
また、本実施形態のコーヒーメーカー１０では、図１６、図１７の電気回路６０に示すように、第１バッテリＢ１（18V）を使用する場合と第２バッテリＢ２（10.8V）を使用する場合とで共通のヒーター５４を使用する例を示した。しかし、図１８に示すように、第１バッテリＢ１（18V）を使用する場合には専用のＡヒーター５４ａとＦＥＴ６５ａを使用し、第２バッテリＢ２（10.8V）を使用する場合には専用のＢヒーター５４ｂとＦＥＴ６５ｂを使用する構成でも可能である。また、図１９に示すように、第１バッテリＢ１（18V）を使用する場合にはＡヒーター５４ａ、Ｂヒーター５４ｂとＦＥＴ６５ａ、ＦＥＴ６５ｂとを使用し、第２バッテリＢ２（10.8V）を使用する場合にはＢヒーター５４ｂとＦＥＴ６５ｂとを使用する構成でも可能である。
【００６３】
また、本実施形態では、カバー部材４５の前後スライド動作に連動して動作するカバー動作スイッチ６４として接点式のスイッチを例示したが、半導体式のスイッチを使用することも可能である。また、本実施形態では、第１バッテリＢ１、第２バッテリＢ２に対応してサイズの異なる第１バッテリ取付け部４１、第２バッテリ取付け部４２を備えるコーヒーメーカー１０を例示した。しかし、例えば、第１バッテリＢ１（18V、14.4V）に対応して第１バッテリ取付け部４１と第２バッテリ取付け部４２とのサイズを等しくすることも可能である。また、本実施形態に係るコーヒーメーカー１０では、デカンタ３５を載せるプレート３０の保温機能は考えていなかったが、前記プレート３０に保温機能を持たせることも可能である。この場合、図１６等に示す電気回路６０において、湯沸かし部５０のヒーター５４とスイッチング素子６５に対して並列にプレート３０の保温用ヒーターを設けるのが好ましい。
【００６４】
また、本実施形態では、ドリップケース２１のケース本体部２１ｍを、図５、図６に示すカフェポッドＣＰ用のものと、図７、図８に示すメッシュフィルターＦを使用するコーヒー粉用のものとを別々に設ける例を示した。しかし、図２２〜図２５に示すように、カフェポッドＣＰ用のケース本体部２１ｍとメッシュフィルターＦを使用するコーヒー粉用のケース本体部２１ｍとを兼用することも可能である。また、本実施形態では、電気機器としてコーヒーメーカー１０を例示したが、茶葉のボッド商品を使用する給茶機等に本発明を適用することも可能である。
【符号の説明】
【００６５】
１０・・・・コーヒーメーカー（電気機器）
２２・・・・ハウジング
２１０・・・上下仕切り壁
２１２・・・縦壁
２１・・・・ドリップケース（ケース部）
２１ｐ・・・抽出部
２２ｗ・・・貯水部
２３・・・・蓋部
２４・・・・ヒンジ機構
４０・・・・バッテリ取付け部
４１・・・・第１バッテリ取付け部
４１ｐ・・・プラス端子（電源端子）
４２・・・・第２バッテリ取付け部
４２ｐ・・・プラス端子（電源端子）
４５・・・・カバー部材
５０・・・・湯沸かし部
５０ｙ・・・給湯部
５２・・・・パイプ部
５３・・・・逆止弁
５４・・・・ヒーター（発熱手段）
５７・・・・給湯ノズル部
６０・・・・電気回路
６１・・・・第１電源プラスライン（電源ライン）
６２・・・・第２電源プラスライン（電源ライン）
６３・・・・電源マイナスライン
６４・・・・カバー動作スイッチ
６６・・・・温度センサー
７０・・・・コントローラ
７２・・・・起動／停止スイッチ
Ｂ１・・・・第１バッテリ
Ｂ２・・・・第２バッテリ
ＣＰ・・・・カフェポッド（ポッド商品）
【図１】
2019017972.tif 000003
【図２】
2019017972.tif 000004
【図３】
2019017972.tif 000005
【図４】
2019017972.tif 000006
【図５】
2019017972.tif 000007
【図６】
2019017972.tif 000008
【図７】
2019017972.tif 000009
【図８】
2019017972.tif 000010
【図９】
2019017972.tif 000011
【図１０】
2019017972.tif 000012
【図１１】
2019017972.tif 000013
【図１２】
2019017972.tif 000014
【図１３】
2019017972.tif 000015
【図１４】
2019017972.tif 000016
【図１５】
2019017972.tif 000017
【図１６】
2019017972.tif 000018
【図１７】
2019017972.tif 000019
【図１８】
2019017972.tif 000020
【図１９】
2019017972.tif 000021
【図２０】
2019017972.tif 000022
【図２１】
2019017972.tif 000023
【図２２】
2019017972.tif 000024
【図２３】
2019017972.tif 000025
【図２４】
2019017972.tif 000026
【図２５】
2019017972.tif 000027
【図２６】
2019017972.tif 000028